(57)【要約】【課題】易破断部に沿って破断し易い袋を提供する。【解決手段】袋の包装材料は、外面側から内面側へ順に、外層、中間層及びシーラント層を少なくとも備える。包装材料は、少なくとも中間層を貫通するとともに外層及びシーラント層を貫通しない複数の第１傷痕を有する第１傷痕群を備える。第１傷痕群の複数の第１傷痕は、包装材料の面方向に平行な所定の第１方向に沿って並んでいる。第１傷痕は、包装材料の面方向に沿うとともに第１方向に対して少なくとも部分的に傾斜するように線状に延びている。【選択図】図１
2019172354.tif 000002
【特許請求の範囲】
【請求項１】
外面側から内面側へ順に、外層、中間層及びシーラント層を少なくとも備える包装材料であって、
少なくとも前記中間層を貫通するとともに前記外層及び前記シーラント層を貫通しない複数の第１傷痕を有する第１傷痕群を備え、
前記第１傷痕群の複数の前記第１傷痕は、前記包装材料の面方向に平行な所定の第１方向に沿って並んでおり、
前記第１傷痕は、前記包装材料の面方向に沿うとともに前記第１方向に対して少なくとも部分的に傾斜するように線状に延びている、包装材料。
【請求項２】
前記第１傷痕は、前記包装材料の面方向に沿うとともに前記第１方向に対して傾斜するように直線状に延びている、請求項１に記載の包装材料。
【請求項３】
少なくとも前記中間層を貫通するとともに前記外層及び前記シーラント層を貫通しない複数の第２傷痕を有する第２傷痕群を更に備え、
前記第２傷痕群の複数の前記第２傷痕は、前記第１傷痕群の複数の前記第１傷痕と並行するよう並んでおり、
前記第２傷痕は、前記包装材料の面方向に沿うとともに前記第１方向に対して少なくとも部分的に傾斜するように線状に延びている、請求項１又は２に記載の包装材料。
【請求項４】
前記第２傷痕は、前記包装材料の面方向に沿うとともに前記第１方向に対して傾斜するように直線状に延びており、
前記第１傷痕が延びる方向と前記第２傷痕とが延びる方向とがなす角度が、１０°以上８０°以下である、請求項３に記載の包装材料。
【請求項５】
請求項１乃至４のいずれか一項に記載の包装材料により構成され、表面及び裏面を有する袋であって、
前記表面又は前記裏面の少なくともいずれか一方において、前記第１傷痕群の複数の前記第１傷痕が前記第１方向に沿って並んでいる、袋。
【請求項６】
前記表面又は前記裏面の少なくともいずれか一方において、前記第１傷痕群の複数の前記第１傷痕が前記第１方向に沿って、前記袋の第１端部から、前記第１端部と前記第１方向において対向する第２端部まで並んでいる、請求項５に記載の袋。
【請求項７】
前記第１端部又は前記第２端部の少なくともいずれか一方のうち、前記第１方向に沿って見た場合に前記第１傷痕群の複数の前記第１傷痕と重なる位置に設けられた開封開始部を更に備える、請求項６に記載の袋。
【発明の詳細な説明】
【技術分野】
【０００１】
本発明は、包装材料及び包装材料により構成された袋に関する。
【背景技術】
【０００２】
内容物を収容するための袋として、ＰＥＴやナイロンなどのプラスチック材料を含むフィルム状の包装材料から構成された袋が用いられている。このような袋は、例えば特許文献１に記載されているように、包装材料の内面同士を熱溶着してシール部を形成することによって構成されている。この場合、内容物を収容するための収容部は、包装材料およびシール部によって囲われた空間として画成される。
【０００３】
包装材料から構成された袋には通常、シール部を破断して袋を開封することを容易にするための開封手段が設けられている。例えば特許文献１においては、袋の合掌シール部の近傍に、合掌シール部に沿って開封手段を設けることが提案されている。
【先行技術文献】
【特許文献】
【０００４】
【特許文献１】特開平１０−２５０７６４号公報
【発明の概要】
【発明が解決しようとする課題】
【０００５】
使用者が開封手段に沿って袋を破断させると、袋に開口部が形成される。袋を一方の端部から他方の端部まで直線的に破断させることができれば、開口部の寸法が大きくなり、袋に収容されている内容物を取り出し易くなる。
【０００６】
本発明は、このような課題を効果的に解決し得る包装材料及び袋を提供することを目的とする。
【課題を解決するための手段】
【０００７】
本発明は、外面側から内面側へ順に、外層、中間層及びシーラント層を少なくとも備える包装材料であって、少なくとも前記中間層を貫通するとともに前記外層及び前記シーラント層を貫通しない複数の第１傷痕を有する第１傷痕群を備え、前記第１傷痕群の複数の前記第１傷痕は、前記包装材料の面方向に平行な所定の第１方向に沿って並んでおり、前記第１傷痕は、前記包装材料の面方向に沿うとともに前記第１方向に対して少なくとも部分的に傾斜するように線状に延びている、包装材料である。
【０００８】
本発明による包装材料において、前記第１傷痕は、前記包装材料の面方向に沿うとともに前記第１方向に対して傾斜するように直線状に延びていてもよい。
【０００９】
本発明による包装材料は、少なくとも前記中間層を貫通するとともに前記外層及び前記シーラント層を貫通しない複数の第２傷痕を有する第２傷痕群を更に備え、前記第２傷痕群の複数の前記第２傷痕は、前記第１傷痕群の複数の前記第１傷痕と並行するよう並んでおり、前記第２傷痕は、前記包装材料の面方向に沿うとともに前記第１方向に対して少なくとも部分的に傾斜するように線状に延びていてもよい。
【００１０】
本発明による包装材料において、前記第２傷痕は、前記包装材料の面方向に沿うとともに前記第１方向に対して傾斜するように直線状に延びており、前記第１傷痕が延びる方向と前記第２傷痕とが延びる方向とがなす角度が、１０°以上８０°以下であってもよい。
【００１１】
本発明は、上記記載の包装材料により構成され、表面及び裏面を有する袋であって、前記表面又は前記裏面の少なくともいずれか一方において、前記第１傷痕群の複数の前記第１傷痕が前記第１方向に沿って並んでいる、袋である。
【００１２】
本発明による袋において、前記表面又は前記裏面の少なくともいずれか一方において、前記第１傷痕群の複数の前記第１傷痕が前記第１方向に沿って、前記袋の第１端部から、前記第１端部と前記第１方向において対向する第２端部まで並んでいてもよい。
【００１３】
本発明による袋は、前記第１端部又は前記第２端部の少なくともいずれか一方のうち、前記第１方向に沿って見た場合に前記第１傷痕群の複数の前記第１傷痕と重なる位置に設けられた開封開始部を更に備えていてもよい。
【発明の効果】
【００１４】
本発明によれば、使用者が易破断部に沿って袋を破断させ易い。このため、内容物の取り出し易さを向上させることができる。
【図面の簡単な説明】
【００１５】
【図１】本発明の実施の形態における袋を示す平面図である。
【図２】図１の袋をII−II方向から見た断面図である。
【図３】袋を構成する包装材料の層構成の一例を示す断面図である。
【図４】第１傷痕群の構造の一例を示す断面図である。
【図５】第１傷痕群の一例を示す平面図である。
【図６Ａ】傷痕群のその他の例を示す平面図である。
【図６Ｂ】傷痕群のその他の例を示す平面図である。
【図６Ｃ】傷痕群のその他の例を示す平面図である。
【図６Ｄ】傷痕群のその他の例を示す平面図である。
【図６Ｅ】傷痕群のその他の例を示す平面図である。
【図７】図１に示す袋を開封する様子を示す平面図である。
【図８】開封された状態の袋を示す平面図である。
【図９】袋の一変形例を示す平面図である。
【発明を実施するための形態】
【００１６】
以下、図１乃至図８を参照して、本発明の実施の形態について説明する。なお、本件明細書に添付する図面においては、図示と理解のしやすさの便宜上、縮尺および縦横の寸法比等を、実物のそれらから適宜変更し誇張してある。
【００１７】
また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１８】
袋
図１は、内容物１９が収容された袋１０を示す平面図である。また、図２は、図１の袋１０をII−II方向から見た断面図である。袋１０は、フィルム状の包装材料３０の内面同士を部分的に接合することによって形成されている。袋１０は、包装材料３０によって構成された表面１１及び裏面１２を含む。図２に示すように、表面１１及び裏面１２はいずれも、１枚の包装材料３０を折り返すことによって構成されている。なお、図示はしないが、袋１０を構成する包装材料３０の枚数が１枚に限られることはなく、複数枚の包装材料３０によって袋１０が構成されていてもよい。
【００１９】
図１に示すように、袋１０は、第１端部１３と、第１端部１３と第１方向Ｄ１において対向する第２端部１４と、第１端部１３から第２端部１４まで第１方向Ｄ１に沿って延びる一対の側端部１５と、を備える。第１方向Ｄ１は、包装材料３０の面方向に平行な方向であって、後述する傷痕群２０の第１傷痕群２１の複数の第１傷痕２２が並ぶ方向、として定義される。好ましくは、第１方向Ｄ１は、フィルム状の包装材料３０から袋１０を作製する際の包装材料３０の搬送方向に平行である。搬送方向とは、いわゆるＭＤ（Machine Direction）である。図１に示す例において、第１端部１３及び第２端部１４は、第１方向Ｄ１に直交する第２方向Ｄ２に延びており、このため袋１０は矩形状の外形を有している。図示はしないが、第１端部１３及び第２端部１４は、第２方向Ｄ２に対して傾斜した方向に延びていてもよい。
【００２０】
図１及び図２に示すように、袋１０は、第１端部１３から第２端部１４まで第１方向Ｄ１に沿って延び、包装材料３０が重ねられた合掌部１７を備える。このように、袋１０はいわゆるピロー袋である。合掌部１７は、表面１１側に位置する。言い換えると、本実施の形態においては、合掌部１７が位置する側の面を表面１１と称する。
【００２１】
袋１０は、フィルム状の包装材料３０の内面同士を接合するシール部を備える。シール部は、第１端部に位置する第１端部シール部１３１、第２端部１４に位置する第２端部シール部１４１、及び、合掌部１７に位置する合掌部シール部１７１を含む。なお、包装材料３０の内面同士を接合して袋１０を封止することができる限りにおいて、シール部を形成するための方法が特に限られることはない。例えば、加熱などによって包装材料３０の一部を溶融させて、包装材料３０の内面同士を溶着させることによって、シール部を形成してもよい。若しくは、接着剤などを用いて包装材料３０の内面同士を接着することによって、シール部を形成してもよい。
【００２２】
図１に示すように、合掌部シール部１７１は、第１端部シール部１３１から第２端部シール部１４１に至るように第１方向Ｄ１に延びている。図２に示すように、合掌部シール部１７１は、第２方向Ｄ２において合掌部１７の先端部１７２にまで広がっていてもよく、若しくは、図示はしないが、合掌部シール部１７１は、先端部１７２にまで広がっていなくてもよい。また、合掌部シール部１７１は、第２方向Ｄ２において合掌部１７の基部１７３にまで広がっていてもよく、若しくは、図示はしないが、合掌部シール部１７１は、基部１７３にまで広がっていなくてもよい。
【００２３】
図１に示すように、袋１０は傷痕群２０を備える。傷痕群２０は、包装材料３０及び袋１０の引き裂き性を高めるための構造である。傷痕群２０は、表面１１において第１端部１３から第２端部１４まで第１方向Ｄ１に沿って延びる第１傷痕群２１を含む。図１に示す例において、第１傷痕群２１は、合掌部１７と交差しないように延びている。表面１１のうち第１傷痕群２１が設けられている部分は、表面１１のその他の部分に比べて破断し易くなる。このような第１傷痕群２１を袋１０に設けることにより、使用者が袋１０を破断させる際、破断が第１傷痕群２１に沿って生じ易くなる。第１傷痕群２１などの傷痕群２０の構造については後述する。
【００２４】
図２に示すように、傷痕群２０は、裏面１２に位置する、符号２５が付された傷痕群を更に含んでいてもよい。傷痕群２５は、表面１１の法線方向に沿って見た場合に第１傷痕群２１と重なる位置において、第１端部１３から第２端部１４まで第１方向Ｄ１に沿って延びている。以下の説明において、表面１１の法線方向に沿って見た場合に第１傷痕群２１と重なるよう裏面１２に設けられている傷痕群２５のことを、第３傷痕群２５とも称する。
【００２５】
第１端部１３又は第２端部１４のうち第１方向Ｄ１に沿って見た場合に第１傷痕群２１と重なる位置には、開封開始部２７が設けられていてもよい。開封開始部２７は、第１傷痕群２１に沿って袋１０を破断させる際の、破断のきっかけとなる部分である。開封開始部２７は、例えば、第１端部１３又は第２端部１４に形成されたノッチを含む。ノッチは、Ｖ字型などの切り欠きや、切り込みなどである。
【００２６】
第１傷痕群２１は、一対の側端部１５のうちのいずれか一方の近傍に位置していてもよい。図１及び図２に示す例において、第１傷痕群２１は、左側の側端部１５の近傍に位置している。以下の説明において、第２方向Ｄ２のうち合掌部１７から第１傷痕群２１に向かう方向のことを第２１方向と称し、第２方向Ｄ２のうち第１傷痕群２１から合掌部１７に向かう方向のことを第２２方向とも称する。
【００２７】
図２に示すように、第１傷痕群２１及び第３傷痕群２５は、第２方向Ｄ２における内容物１９の端部１９１よりも少なくとも部分的に外側に位置していてもよい。また、第１傷痕群２１及び第３傷痕群２５は、第２方向Ｄ２における内容物１９の端部１９１よりも少なくとも部分的に内側に位置していてもよい。図２に示す例において、第１傷痕群２１及び第３傷痕群２５は、表面１１の法線方向に沿って見た場合に第２方向Ｄ２における内容物１９の端部１９１を跨ぐように広がっている。なお、「外側」とは、平面視における袋１０の中心から遠ざかる側を意味し、「内側」とは、平面視における袋１０の中心に近づく側を意味する。
【００２８】
内容物１９は、例えば固形物である。内容物１９は、食品や医薬品など、人が口にする固形物であってもよく、また、入浴剤など、人が口にしない固形物であってもよい。内容物１９の具体例としては、板状のチョコレート、クッキー、せんべい、チーズ、ハムソーセージ、文房具、おもちゃ、カード等を挙げることができる。
【００２９】
（包装材料の層構成）
次に、袋１０を構成する包装材料３０の層構成について説明する。図３は、包装材料３０の層構成の一例を示す断面図である。
【００３０】
包装材料３０は、外面３０２側から内面３０１側へ順に、外層３１、中間層３２及びシーラント層３３を少なくとも備える。図３に示す例においては、シーラント層３３が包装材料３０の内面３０１を構成している。また、包装材料３０は、外層３１と中間層３２との間に位置する第１接着層３４を更に備えていてもよい。また、包装材料３０は、中間層３２とシーラント層３３との間に位置する第２接着層３５を更に備えていてもよい。また、包装材料３０は、外層３１の外面３０２側に設けられた印刷層３６を更に備えていてもよい。図示はしないが、印刷層３６は、外層３１の内面３０１側に設けられていてもよい。包装材料３０の厚みは、例えば３５μｍ以上１００μｍ以下である。
【００３１】
以下、包装材料３０の各層について説明する。
【００３２】
外層３１は、例えば紙を含む。紙の坪量は、例えば１５ｇ／ｍ2以上４０ｇ／ｍ2以下である。また、外層３１は、延伸プラスチックフィルムを含んでいてもよい。この場合、外層３１の厚みは、例えば９μｍ以上３０μｍ以下である。
【００３３】
外層３１が、紙のような低い光透過率を有する材料を含む場合、印刷層３６が外層３１の外面３０２側に位置していることが好ましい。外層３１が、延伸プラスチックフィルムのような高い光透過率を有する材料を含む場合、印刷層３６は、外層３１の内面３０１側に位置していてもよい。
【００３４】
中間層３２は、例えばポリエチレンテレフタレートやポリブチレンテレフタレートなどのポリエステルやナイロンなどのポリアミドや高密度ポリエチレンやポリプロピレンなどポリオレフィンなどのプラスチックのフィルムを含む。
【００３５】
中間層３２を構成するプラスチックフィルムは、一軸または二軸に延伸されていてもよい。この場合、中間層３２は、好ましくは、第１方向Ｄ１における引張強度が第２方向Ｄ２における引張強度よりも大きくなるよう延伸されている。これにより、中間層３２が第１方向Ｄ１に沿って引き裂かれ易くなる。以下の説明において、中間層３２などのプラスチックフィルムの特性のうち、フィルムの搬送方向である第１方向Ｄ１における引張強度が第２方向Ｄ２における引張強度より大きいという特性のことを、「縦裂き」とも称する。引張強度は、ＪＩＳ  Ｋ  ７１２７に準拠して測定される。若しくは、プラスチックフィルムの特性のうち、第１方向Ｄ１における破断強度が第２方向Ｄ２における破断強度より小さくなるという特性のことを、「縦裂き」と称してもよい。
【００３６】
中間層３２を構成するプラスチックフィルムにおいて、第２方向Ｄ２における引張強度に対する第１方向Ｄ１における引張強度の比は、好ましくは１．０５倍以上であり、より好ましくは１．１０倍以上であり、更に好ましくは１．１５倍以上である。中間層３２を構成するプラスチックフィルムにおいて、第１方向Ｄ１における引張強度は、例えば１８０ＭＰａ以上２２０ＭＰａ以下である。中間層３２の厚みは、例えば１０μｍ以上２０μｍ以下である。
【００３７】
シーラント層３３を構成する材料としては、例えば、エチレン−メタクリル酸共重合体（ＥＭＭＡ）や低密度ポリエチレン（ＬＤＰＥ）や直鎖状低密度ポリエチレン（ＬＬＤＰＥ）などのポリエチレンやポリプロピレンを用いることができる。ポリプロピレンとしては、例えば無延伸ポリプロピレンフィルムを用いることができる。シーラント層３３の厚みは、例えば１５μｍ以上６０μｍ以下である。シーラント層３３は、単一の層で構成されていてもよいし、複数の層で構成されていてもよい。
【００３８】
印刷層３６は、袋１０に製品情報を示したり美感を付与したりするための印刷表示を含む。印刷表示としては、文字、数字、記号、図形、絵柄などを挙げることができる。
【００３９】
外層３１、中間層３２、シーラント層３３などを積層する方法としては、ドライラミネート法、押し出しラミネート法などを挙げることができる。
ドライラミネート法においては、外層３１、中間層３２、シーラント層３３などを、接着剤を用いて貼り合わせる。この場合、第１接着層３４や第２接着層３５は、エーテル系接着剤などの接着剤を含む。
押し出しラミネート法においては、例えば、中間層３２の上に、シーラント層３３を構成する、溶融状態にある材料をフィルム状に押し出す。この場合、中間層３２とシーラント層３３との間に接着層が存在していなくてもよい。また、中間層３２の上に、外層３１を構成する、溶融状態にある材料をフィルム状に押し出す。この場合、中間層３２と外層３１との間に接着層が存在していなくてもよい。
第１接着層３４の厚みは、例えば１μｍ以上２０μｍ以下である。また、第２接着層３５の厚みは、例えば１μｍ以上２０μｍ以下である。
【００４０】
図示はしないが、包装材料３０は、機能層を更に含んでいてもよい。機能層としては、水蒸気その他のガスバリア性、遮光性、各種の機械的強度など、必要とされる性能に応じて、適切なものが選択され得る。例えば、包装材料３０は、ガスバリア性を備えた機能層として、外層３１、中間層３２又はシーラント層３３に設けられた蒸着層を更に含んでいてもよい。蒸着層は、例えば、アルミニウムなどの無機物や酸化アルミニウムや酸化珪素などの無機酸化物などの、ガスバリア性を有する物質を含む。
【００４１】
図３の包装材料３０の層構成の具体例を以下に示す。「／」は層と層の境界を表している。左端の層が、包装材料３０の外面３０２を構成する層であり、右端の層が、包装材料３０の内面３０１を構成する層である。
印/紙/DL/縦裂きPET/DL/金属蒸着層/CPP
「印」は、印刷表示を構成する印刷層を意味する。「DL」は、ドライラミネートの略であり、接着剤を含む接着剤層が存在することを意味する。「縦裂きPET」は、縦裂きの特性を有するポリエチレンテレフタレートを意味する。「CPP」は、無延伸ポリプロピレンフィルムを意味する。
【００４２】
（傷痕群の構造）
次に、傷痕群２０の構造について説明する。ここでは、第１傷痕群２１の構造について図４を参照して説明する。図４は、第１傷痕群２１の断面構造の一例を拡大して示す図であり、図１の袋１０の表面１１を第２方向Ｄ２に沿って切断してIV−IV方向から見た場合の断面図である。上述の第３傷痕群２５や後述する第２傷痕群２３の断面構造は、第１傷痕群２１の断面構造と同一であるので、説明を省略する。
【００４３】
第１傷痕群２１は、複数の第１傷痕２２を有する。第１傷痕２２は、少なくとも中間層３２を貫通するとともに外層３１及びシーラント層３３を貫通しない孔である。第１傷痕２２は、例えば、やすりや切刃などの工具を用いて中間層３２を加工することによって形成される。
【００４４】
図４に示す包装材料３０は、複数の第１傷痕２２が形成された状態の中間層３２を外層３１及びシーラント層３３と積層することによって作製される。図示はしないが、中間層３２を外層３１又はシーラント層３３と積層した後に中間層３２に複数の第１傷痕２２を形成してもよい。
【００４５】
図４に示す包装材料３０においては、第１傷痕２２が外層３１を貫通していないので、第１傷痕２２は包装材料３０の外面３０２には現れない。このため、第１傷痕２２が袋１０の使用者によって視認されることを抑制することができる。これにより、袋１０の意匠性を高めることができる。
【００４６】
第１傷痕２２が袋１０の使用者によって視認されることを抑制する上では、包装材料３０の外層３１が、紙のような低い光透過率を有する材料を含むことや、中間層３２よりも外面３０２側に印刷層３６が位置していることが好ましい。
【００４７】
次に、包装材料３０の面方向における傷痕群２０の構造について説明する。図５は、傷痕群２０の第１傷痕群２１の一例を示す平面図である。
【００４８】
図５に示すように、第１傷痕群２１の複数の第１傷痕２２は、包装材料３０の面方向に平行な所定の第１方向Ｄ１に沿って並んでいる。これにより、第１方向Ｄ１における包装材料３０及び袋１０の引き裂き性を高めることができる。本実施の形態において、第１方向Ｄ１は、上述のように包装材料３０の搬送方向に平行である。
【００４９】
第１傷痕２２は、包装材料３０の面方向に沿うとともに第１方向Ｄ１に対して少なくとも部分的に傾斜するように線状に延びている。図５に示す例において、第１傷痕２２は、第１方向Ｄ１に対して傾斜するように、第３方向Ｄ３に沿って直線状に延びている。第１傷痕２２が延びる方向を第１方向Ｄ１に対して傾斜させることにより、第１方向Ｄ１における包装材料３０の引き裂きが過剰に進行することを抑制することができる。これにより、袋１０が不慮に開封されることを抑制することができる。第１傷痕２２が延びる第３方向Ｄ３が第１方向Ｄ１に対してなす第１角度θ１は、例えば５°以上４０°以下であり、より好ましくは１０°以上３０°以下である。
【００５０】
第１方向Ｄ１に対する第１傷痕２２の傾斜方向は、好ましくは、第１端部１３から第２端部１４に向かうにつれて第１傷痕２２が第２２方向Ｄ２２へ変位するよう、設定される。この場合、使用者が第１端部１３側から第２端部１４側へ向けて傷痕群２０に沿って袋１０を破断させる際、第２方向Ｄ２における破断経路の変位が、第２１方向Ｄ２１よりも第２２方向Ｄ２２において生じ易くなる。このため、破断経路が傷痕群２０よりも第２１方向Ｄ２１側に逸脱してしまうことを抑制することができる。なお、破断経路が傷痕群２０よりも第２２方向Ｄ２２側に逸脱してしまうことは、内容物１９によって抑制され得る。
【００５１】
図５に示すように、第２方向Ｄ２においても複数の第１傷痕２２が並んでいてもよい。第２方向Ｄ２における傷痕群２０の幅Ｗ１は、例えば２ｍｍ以上１５ｍｍ以下である。
【００５２】
複数の第１傷痕２２は、第１方向Ｄ１に沿って、袋１０の第１端部１３から第２端部１４まで並んでいてもよい。これにより、第１端部１３から第２端部１４に至るまで袋１０の引き裂き性を向上させることができる。なお、「第１端部１３から第２端部１４まで並ぶ」とは、第１傷痕２２が第１端部１３及び第２端部１４と交わっている場合だけでなく、第１傷痕２２が第１端部１３及び第２端部１４に交わっていないが第１傷痕２２が第１端部シール部１３１及び第２端部シール部１４１に位置している場合をも含む概念である。
【００５３】
図６Ａは、傷痕群２０のその他の例を示す平面図である。図６Ａに示すように、傷痕群２０は、第１傷痕群２１に加えて、表面１１において第１端部１３から第２端部１４まで第１方向Ｄ１に沿って延びる第２傷痕群２３を更に含んでいてもよい。第２傷痕群２３は、第１傷痕群２１の複数の第１傷痕２２と並行するよう並ぶ複数の第２傷痕２４を有する。図６Ａに示す例において、複数の第２傷痕２４は、第１方向Ｄ１に沿って並んでいる。
【００５４】
第２傷痕２４は、包装材料３０の面方向に沿うとともに第１方向Ｄ１に対して少なくとも部分的に傾斜するように線状に延びている。図６Ａに示す例において、第２傷痕２４は、第１方向Ｄ１に対して傾斜するように、第４方向Ｄ４に沿って直線状に延びている。第２傷痕２４が延びる第４方向Ｄ４が第１方向Ｄ１に対してなす第２角度θ２は、例えば５°以上４０°以下であり、より好ましくは１０°以上３０°以下である。
【００５５】
第２傷痕２４が延びる第４方向Ｄ４は、第１傷痕２２が延びる第３方向Ｄ３とは異なっている。例えば、図６Ａに示すように、第２傷痕２４は、第１端部１３から第２端部１４に向かうにつれて第２傷痕２４が第２１方向Ｄ２１へ変位するよう構成されている。これにより、傷痕群２０に沿って袋１０を破断させる場合の、第２方向Ｄ２における破断経路の変位を、第２１方向Ｄ２１及び第２２方向Ｄ２２において交互に生じさせて、ジグザグ形状の破断経路を実現することができる。このため、破断経路が傷痕群２０から逸脱してしまうことを抑制することができる。第１傷痕２２が延びる第３方向Ｄ３と第２傷痕２４が延びる第４方向Ｄ４とがなす第３角度θ３は、例えば１０°以上８０°以下であり、より好ましくは２０°以上６０°以下である。
【００５６】
図６Ｂは、傷痕群２０のその他の例を示す平面図である。上述の図６Ａに示す例においては、第１方向Ｄ１に沿って第１傷痕２２及び第２傷痕２４を見た場合に第１傷痕２２と第２傷痕２４とが重ならないよう配置されている。一方、図６Ｂに示す例においては、第１方向Ｄ１に沿って第１傷痕２２及び第２傷痕２４を見た場合に両者が部分的に重なるよう、第１傷痕２２及び第２傷痕２４が配置されている。
【００５７】
図６Ｂに示す例においては、第１傷痕２２及び第２傷痕２４が第１方向Ｄ１に沿った複数の列において並んでいる。また、図６Ｂに示す例においては、第２方向Ｄ２において、第１傷痕２２及び第２傷痕２４が千鳥状に並んでいる。例えば、第１傷痕２２及び第２傷痕２４を第２方向Ｄ２から見た場合に、第１傷痕２２が、第１方向Ｄ１に並ぶ複数の第２傷痕２４の間の隙間に重なっている。
【００５８】
図６Ｂに示す例においても、第２方向Ｄ２における破断経路の変位が、第２１方向Ｄ２１及び第２２方向Ｄ２２において交互に生じ、ジグザグ形状の破断経路が実現される。これにより、破断経路が傷痕群２０から逸脱してしまうことを抑制することができる。また、第２方向Ｄ２において複数の第１傷痕２２及び複数の第２傷痕２４設けられているので、第２方向Ｄ２の複数の位置において第１端部１３から第２端部１４まで延びる破断経路を実現することができ、使用者の利便性を向上させることができる。
【００５９】
図６Ｃは、傷痕群２０のその他の例を示す平面図である。図６Ｃに示す例においても、図６Ａに示す例の場合と同様に、第１傷痕２２及び第２傷痕２４は、第１方向Ｄ１に沿って見た場合に第１傷痕２２と第２傷痕２４とが重ならないよう配置されている。また、第１傷痕２２及び第２傷痕２４が第１方向Ｄ１に沿った複数の列において並んでいる。
【００６０】
図６Ｃに示す例においても、図６Ａや図６Ｂに示す例の場合と同様に、第２方向Ｄ２における破断経路の変位が、第２１方向Ｄ２１及び第２２方向Ｄ２２において交互に生じ、ジグザグ形状の破断経路が実現される。これにより、破断経路が傷痕群２０から逸脱してしまうことを抑制することができる。また、図６Ａに示す例の場合に比べて、第２方向Ｄ２における破断の開始位置の自由度が高くなる。
【００６１】
図６Ｄは、傷痕群２０のその他の例を示す平面図である。図６Ｄに示すように、第１傷痕２２は、湾曲した形状を有していてもよい。第１傷痕２２は、第３方向Ｄ３に沿って延びる部分を少なくとも部分的に含む。
【００６２】
図６Ｄに示す例において、複数の第１傷痕２２は、第１方向Ｄ１及び第２方向Ｄ２においてそれぞれ並んでいる。好ましくは、第１傷痕２２は、第１端部１３から第２端部１４に向かうにつれて部分貫通部２０１が第２２方向Ｄ２２へ変位するよう構成されている。この場合、図６Ａに示す例の場合と同様に、使用者が第１端部１３側から第２端部１４側へ向けて第１傷痕群２１に沿って袋１０を破断させる際、第２方向Ｄ２における破断経路の変位が、第２１方向Ｄ２１よりも第２２方向Ｄ２２において生じ易くなる。このため、破断経路が傷痕群２０よりも第２１方向Ｄ２１側に逸脱してしまうことを抑制することができる。
【００６３】
図６Ｅは、表面１１を構成する包装材料３０と裏面１２を構成する包装材料３０とを同一平面上に並べた場合を示す図である。図６Ｅにおいて、符号１５が付された点線は、包装材料３０を折り返すことによって袋１０の側端部１５となる部分を示している。好ましくは、図６Ｅに示すように、裏面１２に位置する第３傷痕群２５の第３傷痕２６は、表面１１に位置する第１傷痕群２１の第１傷痕２２に対して、側端部１５などの第１方向Ｄ１に沿って延びる直線に対する線対称性を有する。
【００６４】
図６Ｅに示すように、表面１１に位置する第１傷痕群２１と裏面１２に位置する第３傷痕群２５との間には、傷痕群２０が設けられていない領域２０３が存在していることが好ましい。これにより、破断経路が傷痕群２０から逸脱して側端部１５にまで達してしまうことを抑制することができる。
【００６５】
図６Ｅに示す例における第１傷痕２２の形状やパターンなどは任意である。例えば、図６Ｅに示す例における第１傷痕２２として、上述の図５及び図６Ａ乃至図６Ｄに示す第１傷痕２２のいずれかを用いることができる。
【００６６】
包装材料の製造方法
第１傷痕群２１などの傷痕群２０が設けられた包装材料３０を製造する方法の第１の例について説明する。まず、フィルム状の外層３１及び中間層３２を準備する。続いて、第１接着層３４を介して中間層３２と外層３１とを貼り合わせる。その後、切刃を備えたロータリーダイロールなどを用いて、外層３１と貼り合わされた中間層３２を加工して、中間層３２に、傷痕群２０の第１傷痕群２１の第１傷痕２２などを構成する貫通孔を形成する。切刃は、内面３０１側から、すなわち外層３１とは反対側から中間層３２に入れる。
【００６７】
続いて、貫通孔が形成された中間層３２に接着剤を塗布して乾燥させて第２接着層３５を形成し、第２接着層３５を介して中間層３２とシーラント層３３とを貼り合わせる。このようにして、中間層３２を貫通するが外層３１及びシーラント層３３を貫通しない第１傷痕２２が設けられた包装材料３０を得ることができる。
【００６８】
袋の開封方法
次に、上述の袋１０を開封する方法について、図９及び図１０を参照して説明する。
【００６９】
まず、使用者は、傷痕群２０に近接する側端部１５と第１端部１３との間の角部１８を摘んで、開封開始部２７を起点として袋１０の破断を開始する。続いて、使用者は、例えば角部１８を第２端部１４側へ引っ張る。ここで本実施の形態においては、上述のように、第１端部１３から第２端部１４まで合掌部１７と交差しないように第１方向Ｄ１に沿って延びる第１傷痕群２１が袋１０に設けられている。このため、図７に示すように、袋１０の破断を第１方向Ｄ１に沿って直線的に進行ささせることができる。このため、図８に示すように、第１端部シール部１３１から第２端部シール部１４１まで広がる開口部２８を袋１０に形成することができる。これにより、袋１０の破断が直線的に進行せず、第２端部１４に到達するよりも前に袋１０の破断が側端部１５で途絶えてしまう場合に比べて、内容物１９の取り出し易さを向上させることができる。
【００７０】
なお、上述した各実施の形態に対して様々な変更を加えることが可能である。以下、変形例について説明する。以下の説明および以下の説明で用いる図面では、上述した各実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００７１】
（傷痕群の一変形例）
図９は、一変形例に係る袋１０を示す平面図である。図９に示すように、傷痕群２０の第１傷痕群２１は、第２方向Ｄ２において合掌部１７の基部１７３を跨ぐように設けられていてもよい。この場合、破断経路が傷痕群２０よりも第２２方向Ｄ２２側に逸脱してしまうことは、合掌部１７の基部１７３によって抑制され得る。
【００７２】
（傷痕群の一変形例）
上述の実施の形態においては、傷痕群２０が、表面１１に設けられた第１傷痕群２１と、裏面１２に設けられた第３傷痕群２５第２傷痕群２３とを有する例を示した。しかしながら、これに限られることはなく、傷痕群２０は、第１傷痕群２１又は第３傷痕群２５の少なくともいずれか一方を有していればよい。
【００７３】
（袋の変形例）
上述の実施の形態においては、袋１０が、合掌部１７を備えるピロー袋である例を示した。しかしながら、上述の傷痕群２０を備える限りにおいて、袋１０のタイプが特に限られることはない。例えば、袋１０は、矩形状の袋１０の４つの辺のうちの３つに沿って延びるシール部を備える三方シール袋や、４つの辺に沿って延びるシール部を備える四方シール袋であってもよい。
【００７４】
なお、上述した実施の形態に対するいくつかの変形例を説明してきたが、当然に、複数の変形例を適宜組み合わせて適用することも可能である。
【符号の説明】
【００７５】
１０  袋
１１  表面
１２  裏面
１３  第１端部
１３１  第１端部シール部
１４  第２端部
１４１  第２端部シール部
１５  側端部
１７  合掌部
１７１  合掌部シール部
１８  角部
１９  内容物
２０  傷痕群
２１  第１傷痕群
２２  第１傷痕
２３  第２傷痕群
２４  第２傷痕
２５  第３傷痕群
２６  第３傷痕
２７  開封開始部
２８  開口部
３０  包装材料
３０１  内面
３０２  外面
３１  外層
３２  中間層
３３  シーラント層
３４  第１接着層
３５  第２接着層
３６  印刷層
【図１】
2019172354.tif 000003
【図２】
2019172354.tif 000004
【図３】
2019172354.tif 000005
【図４】
2019172354.tif 000006
【図５】
2019172354.tif 000007
【図６Ａ】
2019172354.tif 000008
【図６Ｂ】
2019172354.tif 000009
【図６Ｃ】
2019172354.tif 000010
【図６Ｄ】
2019172354.tif 000011
【図６Ｅ】
2019172354.tif 000012
【図７】
2019172354.tif 000013
【図８】
2019172354.tif 000014
【図９】
2019172354.tif 000015